(57)【要約】マットレス（１）は就寝面（４）および前記就寝面（４）を受けることのできるキャビティ（２２）を含む。少なくとも一つの気体出口（６）が前記キャビティ（２２）に隣接して設けられている。前記気体出口（６）は前記就寝面（４）上に前記気体出口（６）から気流を流すための気体供給源（３０）に連結できるように構成されている。
2004500221.tif 000002
【特許請求の範囲】
【請求項１】
就寝面、および
前記就寝面を受けることのできるキャビティ、および前記キャビティに隣接して設置された少なくとも一つの気体出口を有する周囲体を含み、
前記気体出口は前記就寝面上の気体出口から気流を誘導するために気体供給源に接続できる構成である、マットレス。
【請求項２】
前記少なくとも一つの気体出口は前記周囲体に形成された室と連通する前記周囲体に形成された複数の開口部を含み、前記開口部は前記周囲体のまわりに断続的に位置決めされかつ前記就寝面上へ前記複数の開口部から気流を誘導できるように構成されている、請求項１のマットレス。
【請求項３】
少なくとも一つのブラダが前記キャビティ内に位置決めされかつ前記就寝面を支持するように構成されている、請求項１のマットレス。
【請求項４】
前記キャビティ内に位置決めされかつ前記就寝面を支持しかつ前記就寝面に回転治療を施すことのできる構成の少なくとも二つの回転ブラダを更に含む、請求項１のマットレス。
【請求項５】
音声発生装置、および前記マットレス内に位置決めされた少なくとも一つのスピーカを含む治療システムを更に含み、前記少なくとも一つのスピーカは前記音声発生装置に接続されかつ音声信号を発生して前記就寝面に送信するように構成されている、請求項１のマットレス。
【請求項６】
前記就寝面は気体が通過する前記就寝面の面を貫通する複数の孔を含んで形成されている、請求項５のマットレス。
【請求項７】
前記少なくとも一つのスピーカは、前記周囲体の気体出口を通って前記就寝面上に位置決めされる患者に向けて音声信号を送信できるように構成されている、請求項１のマットレス。
【請求項８】
前記周囲体のまわりに位置する縁取部材を更に含む、請求項１のマットレス。
【請求項９】
前記周囲体は前記キャビティを形成する内壁を含み、前記周囲体は内室を含んで形成され、前記内室と前記内壁間に延びて少なくとも一つの気体出口を形成する少なくとも一つの開口部を有し、かつ前記内室は、前記気体が前記内室および前記少なくとも一つの開口部から前記就寝面上へ誘導されるように、気体供給源に接続できるように構成されている、請求項１のマットレス。
【請求項１０】
前記就寝面は前記少なくとも一つの開口部の下の所定位置で前記周囲体の内壁に連結されるように構成されている、請求項９のマットレス。
【請求項１１】
前記キャビティ内にスペーサを更に含み、前記スペーサは第一および第二ブラダキャビティを形成する構成であり、かつ第一および第二ブラダがそれぞれ前記第一および第二ブラダキャビティ内に前記就寝面を支持するために設置されている、請求項１のマットレス。
【請求項１２】
少なくとも一つのスピーカが前記スペーサ内に設置されている、請求項１１のマットレス。
【請求項１３】
第一および第二ブラダは選択的に膨張および収縮して前記就寝面上の患者に回転治療を施すことができるように構成されている、請求項１１のマットレス。
【請求項１４】
就寝面、
前記就寝面を受けることのできるキャビティを有する周囲体、および
前記就寝面に隣接して位置決めされかつ前記就寝面に所望の治療波信号を送信できる少なくとも一つのスピーカを含む、マットレス。
【請求項１５】
前記少なくとも一つのスピーカに接続された音声信号発生装置を更に含む、請求項１４のマットレス。
【請求項１６】
前記周囲体は前記キャビティを形成する内壁を含み、前記周囲体は内室を含んで形成され、前記内室と前記内壁間に延びた少なくとも一つの開口部を有し、前記内室は気体供給源に連結されて気体が前記内室および前記少なくとも一つの開口部から前記就寝面にわたって誘導されるように構成されている、請求項１４のマットレス。
【請求項１７】
前記就寝面は前記少なくとも一つの開口部の下の所定位置で前記周囲体の内壁に連結できるように構成されている、請求項１６のマットレス。
【請求項１８】
前記キャビティ内に設置されたスペーサを更に含み、前記スペーサは第一および第二ブラダキャビティを形成する構成であり、かつ第一および第二ブラダはそれぞれ第一および第二ブラダキャビティ内に前記就寝面を支持するために設置されている、請求項１４のマットレス。
【請求項１９】
少なくとも一つのスピーカが前記スペーサ内に設置されている、請求項１８のマットレス。
【請求項２０】
第一および第二ブラダは選択的に膨張および収縮して前記就寝面上の患者に回転治療を施すことができるように構成されている、請求項１８のマットレス。
【発明の詳細な説明】
【０００１】
発明の背景および概要
本発明はマットレスに関する。より詳細には、本発明は小児科用マットレスに関する。
【０００２】
通気設備付きマットレスおよび打診治療は当分野で既知である。通気ベッドは典型的にはベッドの上面に形成された孔から空気を換気する複数の室付き膨張自在マットレスで構成される。前記孔が空気の放出を可能にすると共に空気源が連続的に空気をマットレスへ供給して所望量の膨張を維持する。この放出空気は患者の皮膚を冷却し、乾燥し、かつ快適に維持する環境を創出する。
【０００３】
本発明は膨張自在エアマットレスと組み合わせて患者に打診／音声治療を提供する。更に、本発明は種々の方向から患者へ気体かつ／または音声周波数を誘導するベッドを提供する。
【０００４】
本発明によれば、マットレスは就寝面、および前記就寝面を受けることのできるキャビティおよび前記キャビティに隣接して設置された少なくとも一つの気体出口を有する周囲体を含む。前記気体出口は前記就寝面上の気体出口から気流を誘導するために気体供給源に接続できる構成である。
【０００５】
実施形態において、前記周囲体は前記キャビティを形成する内壁を含む。前記周囲体は、少なくとも一つと開口部を有する内室を含んで形成され、前記開口部は少なくとも一つの気体出口を形成するために前記内室と前記内壁間に延びている。前記内室は、気体が前記内室から前記少なくとも一つの開口部を経て前記就寝面上に誘導されるように、気体供給源に連結できる構成である。実例として、前記就寝面は前記少なくとも一つの開口部下の所定位置で前記周囲体の内壁に連結できる構成である。
【０００６】
実施形態において、スペーサが前記キャビティ内に設置される。前記スペーサは第一および第二ブラダキャビティを形成する構成である。第一および第二ブラダは、前記就寝面を支持するために、それぞれ第一および第二ブラダキャビティ内に設置される。第一および第二ブラダは、前記就寝面上の患者に回転治療を提供するために選択的に膨張かつ収縮するように構成される。
【０００７】
更に、本発明によれば、マットレスは就寝面、前記就寝面を受けることのできるキャビティを有する周囲体、および前記就寝面に隣接して位置決めされた少なくとも一つのスピーカを含む。前記スピーカは前記就寝面に所望の治療波信号を送信できる構成である。実施形態として、前記マットレスは、前記就寝面上の患者に打診／バイブレーション治療を提供するため、または音楽演奏を提供するために少なくとも一つのスピーカに接続された音声信号発生装置を更に含む。
【０００８】
本発明の他の特徴は、現在考えられる本発明を実施するベストモードを例示す、続く詳細な説明から当業者に明らかであろう。
【０００９】
本発明について非制限例を示す添付図面を参照して以下に説明する。
【００１０】
対応する参照番号は図面において対応する部を示す。添付図面は本発明の説明のための実施形態を示し、かかる実施形態は本発明の範囲を限定すると解釈されるべきでない。
【００１１】
図面の詳細な説明
本発明はマットレスに関する。更に詳細には、本発明は小児科用のエアマットレスに関する。小児科用マットレスは種々の幼児用寝台かつ／または子供用ベッド上に適合するいずれかの従来寸法を有する。一形態において、マットレスはマットレスの就寝面にわたって横断する空気流を提供するように構成される。更に、就寝面それ自体はその就寝面から患者へ誘導される空気流を提供する低空気損失面である。ここに記載のマットレスは小児科用マットレス以外に広範囲の用途に使用できる。低空気損失マットレスは空気を就寝面から患者の下へ逃がすことができる。このことは患者の下に乾燥環境を創出して、圧迫潰瘍発生の一つの誘引フアクタである冷浸を阻止する作用をする。本発明の一形態において、マットレスは肺の洗浄および快適さを助けるために打診治療シテスムを含むように構成される。打診治療シテスムによる音声またはサウンドは就寝面から患者に流される。または、サウンドは横断空気流へ誘導され、就寝面にわたって患者へ送られる。この形態において、打診治療シテスムはマットレスに一体化される。
【００１２】
本発明の一形態による小児科用マットレスは図１に示されている。マットレス１はマットレス１の構造的境界を形成する周囲体２を含む。就寝面４は周囲体内に適合する。就寝面４は、図示例において、患者５を支持する膨張自在ベッドでありかつマットレス１の一部である（図３参照）。図示例において、複数の空気孔６が就寝面４上方で周囲体２内に設けられている。孔６は空気流および／または音声周波数を就寝面４から患者５に誘導する。理解されるように、複数の孔が空気流または横断空気流を発生させるために使用できる。横断空気流の方向は図３において参照番号３２で示されている。
【００１３】
マットレスの分解図は図２に示されている。図示形態おいて、周囲体２は内周壁８、外周壁１０、デッキ１１、ベース１２、スペーサ１４およびブラダキャビティ１６，１６’を含む。内周壁８はベース１２から上方へ延びて就寝面４の外形に概ね対応する。外周壁１０は周囲体２の外境界を形成し、かつ実例として、従来幼児用寝台または支持体に適合する寸法および構成である。デッキ１１は内周壁８と外周壁１０間に延びた上面である。コア１８は実例として図３に示されたように周囲体２を提供する。コア１８は発泡体、ゴムまたは他の材料等的で適宜材料により形成される。ただし、理解されるように、コア１８は所望により膨張自在体により置換できる。
【００１４】
コア１８は小児科用マットレス１を支持するベース１２上に位置決めされている。ベース１２はマットレス１の領域にわたり、かつ金属、木材またはプラスチック等適宜材料により形成される。周囲体２は就寝面キャビティ２２を形成する。図示形態において、スペーサ１４はキャビティ２２内に位置決めされかつ長手方向に延びている。スペーサ１４は周囲体２、分離ブラダ２４および２４’に構造的支持を付加することを含む幾つかの目的を提供し、かつ更に詳細に後述する打診治療シテスムからスピーカ２８を受ける受器として作用する。スペーサ１４は実例としてコア１８と同一材料により形成される。図示形態において、スペーサ１４はキャビティ２２を第一および第二ブラダキャビティ１６および１６’に分離する。ブラダキャビティ１６および１６’は、図３に示されたように、それぞれ第一および第二ブラダ２４および２４’を受けることができるように構成される。
【００１５】
横断空気流は空気が就寝面４上を通過することにより生じる。これを実現するために、孔６は内周壁８を貫通して形成される。各孔６は図３に示されたようにコア１８から空気室２９へ延びる。一実施形態において、空気室２９は全周囲体２内に形成される（図３参照）。供給管３０は、空気流方向矢印３２により示されたように空気孔６へ排出される空気を空気源から室２９へ供給する。図示例のごとく、複数の空気管３０が使用され、かつ就寝面４上に均一横断空気流を発生させるために横断方向に位置決めされてよい。
【００１６】
図示実施形態において、スペーサ１４は、上述のごとく、キャビティ２０を第一および第二ブラダキャビティに分割する。第一および第二膨張自在ブラダ２４および２４’はそれぞれキャビティ１６および１６’内に受けられかつ就寝面４を支持できるように構成される。実例として、ブラダ２４および２４’は気体で充填されて必要支持体を提供する。供給管３４および３４’は空気をそれぞれブラダ２４および２４’に配送して支持レベルを充満、維持または変更する。理解されるように、任意数のブラダが就寝面４を支持するために使用できる。これは、就寝キャビティ２０の全域を満たす一またはそれ以上のブラダを提供することを含む。同様に理解されるように、ブラダ２４および２４’は空気以外の物質により充填されてよく、かつ発泡体、ゲル、または均一粒子で充填されてよい。ブラダ２４お２４’は実例としてそれぞれキャビティ１６および１６’内に緩く保持できる構成である。他の形態として、ブラダ１４および１４’はベルクロ、ジッパまたは接着剤等従来手段によりキャビティ１６および１６’に締結される。
【００１７】
図示形態において、スピーカ受器３５はスペーサ１４に沿って中央位置に形成される。受器３５は、スピーカ２８が音声を患者５に送るようにスピーカ２８を受けかつ位置決めできるように構成される（図３参照）。理解されるように、スピーカ２８はスペーサ１４、内周壁８、ブラダキャビティ１６かつ／または１６’に沿ったいずれかの場所に位置決めされた複数のスピーカであってよい。更に、スピーカ２８は音声周波数を空気孔６から就寝面４へ誘導するように位置決めかつ構成されてよい。一図示形態において、スピーカ２８はスピーカ線３６により音声周波数発生装置（図示せず）へ接続される。スピーカ線３６は音声周波数発生装置がマットレス１の一体部または分離ユニットのいずれであってもよいように構成される。理解されるように、音声周波数発生装置は、デジタル音声信号発生装置、コンパクトディスク、またはカセットテーププレイヤまたは蓄音機を非制限的に含むいずれの従来タイプのものであってもよい。
【００１８】
図示形態における就寝面４はキャビティ２０内に位置決めされかつブラダ２４，２４’の上面およびスペーサ１４の上方に設置される。図３に示されたように、就寝面４上の患者５の重量はブラダ２４および２４’を圧縮する下方力を生じる。マットレス１は、ブラダ２４および２４’がスペーサ１４に実質的に隣接する点へ圧縮するように構成される。しかしながら、理解されるように、就寝面４は、スピーカ２８が適正に働くために、スピーカ２８に隣接して位置決めされるべきでない。他の実施形態において、就寝面４は、図２に示されたように、ジッパ５２およびその外周に取付けられたジッパの歯５４を含み、内周壁８に取付けられた対応するジッパの歯５６を含む。この構成は就寝面４のマットレス１への固定を可能にし、かつ除去さえも可能にして、就寝面４の取り替えまたはブラダ２４，２４’かつ／またはスピーカ２８へのアクセスを可能にする。理解されるように、就寝面４は、ベルクロ、紐、または接着剤等を非制限的に含む任意従来手段によりマットレス１に取付けられてよい。就寝面４それ自体は実例として空気充填ブラダ、複数の室付きブラダ、または一連のブラダである。
【００１９】
図１，２，５および６の就寝面４は波形デザイン５８の複数室付きブラダとして示されている。理解されるように、就寝面４は任意従来デザインであってよい。実例として、就寝面４は低空気損失就寝面である。この形態において、実例として、直径約３０ミクロンの複数の孔（図示せず）が就寝面の少なくとも一側、代表例として上面９に形成される。空気は、このようにして、就寝面４からゆっくりと放出されて患者のまわりに移動空気ゾーンを形成する。膨張装置（図示せず）が損失空気を補充しかつ就寝面の硬さ調整のために就寝面４に連結される。更に、スピーカ２８は打診治療を補助するために患者５へ孔６からサウンドを送るように位置決めされてよい。
【００２０】
図示形態において、就寝面４上の患者に回転治療を提供するために、空気は選択的にブラダ２４および２４’へ供給除去される。実例として、就寝面４は各使用後に周囲体から外されかつ廃棄されてよい。これは各使用後の就寝面４の衛生の必要性を解消する。スピーカ２８は就寝面４上の患者に打診／バイブレーション治療を提供する。更に、音楽がスピーカ２８から演奏されてよい。これは患者の快適および刺激のためにリズミカルなサウンドを提供するための分離付属設備の必要性を解消する。
【００２１】
本発明の他の実施形態が図４に示されている。この形態による小児科用マットレス３８は、マットレス３８の外本体を形成する周囲体３９を含む。就寝面４は周囲体３９にフィットしている。この図示形態において、周囲体３９は内周壁４０、外周壁４２、デッキ４４、およびベース１２、更に上述形態と同様にスペーサ１４およびブラダキャビティ１６および１６’を含む境界構造体である。ただし、この形態は、内周壁４０を貫通する気体放出孔およびコア４８内に形成されたチャンネルが無い点で上述形態と相違する。内周壁４０はベース１２から上方へ概ね就寝面４の形状まで延びている。外周壁４２は周囲体３９の外境界を形成し、かつ実例として上述形態と同様に任意従来幼児寝台または支持体に適合する寸法および構成であってよい。デッキ４４は就寝面４に平行に形成されかつ内周壁４０および外周壁４２の両壁に隣接して位置決めされる上面を含む。内周壁４０、外周壁４２およびデッキ４４は、周囲体３９の形状であるコア４８上に形成されることによりその形状を維持する。コア１８と同様に、コア４８は発泡体，ゴムまたは他の材料等任意適宜材料により形成される。
【００２２】
コア４８は小児科用マットレス３８を支持するベース１２上に位置決めされる。実例として、ベース１２はマットレス３８の領域にわたりかつ金属、木材、プラスチック等の任意適宜材料により形成される。周囲体９は上述形態と同様に就寝面キャビティ２２を形成する。スペーサ１４は実例としてキャビティ２２内に位置決めされかつその長手方向に延在する。上述形態と同様に、スペーサ１４は周囲体１４に構造的支持を付加し、ブラダ２４および２４’を分離し、かつ打診治療シテスムのスピーカ２８の受器として作用することを含む幾つかの目的に役立つ。上述形態と同様に、スペーサ１４は実例としてコア１８と同様材料により形成されることは理解されるであろう。図示形態において、スペーサ１４はキャビティ２２を第一および第二ブラダキャビティ１６および１６’に分離する。ブラダキャビティ１６および１６’は図４に示されたように第一および第二ブラダ２４および２４’を受けることのできるように構成される。
【００２３】
本発明の他の実施形態は、図５および６に示されたように、縁取部材５０内に適合する小児科用マットレスを含む。実例として、いずれのマットレス１または３８も縁取部材５０内に適合する構成であってよい。縁取部材５０は、それ自体、より大きな幼児寝台またはより大きなベッドフレームにマットレスを適合させるためにマットレス１または３８に付加的長さかつ／または幅を提供するように構成される。実例として、縁取部材５０は内壁６２、外壁６４、および隣接する内壁６２と外壁６４間に延びた上面６６を含む。コア（図示せず）は図３および４に示されたように、それぞれコア２８および４６と同様に縁取部材５０に本体構造を提供する。縁取部材５０のコアは実例としてコア１８および４６と同様タイプの材料により形成される。図示形態において、周囲体２はジッパ６８およびその外周に取付けられたジッパの歯７０を含み、図６に示されたように、内壁６２に取付けられた対応するジッパの歯７２を有する。この構成は周囲体２の縁取部材５０への固定を可能にする。理解されるように、周囲体２は、ベルクロ、紐、または接着剤等の非制限的任意従来手段により縁取部材５０へ取付けられてよい。更に、縁取部材５０はいかなる締結具をも使用することなく周囲体２上に単に設置されてよい。
【００２４】
実例として、周囲体２は、デッキ１１が、図５に示されたように、上面６６と実質的同一面に位置決めされる。図示形態において、ジッパの歯７０はデッキ１１および外壁６４に隣接設置され、ジッパの歯７２は内壁６２のまわりに設けられる。ジッパの歯７２の垂直配向位置決めは、デッキ１１と上面デッキ６６間の、差異があれば、高さの相対的差異を決定する。
【００２５】
本発明は特定手段、材料および形態を参照して説明されたが、上記説明から当業者は本発明の実質的特徴を容易に理解し、かつ種々の変更および改変は特許請求の範囲に記載の発明の精神および範囲から逸脱することなく種々の使用および特徴を採用することにより行なわれる。
【図面の簡単な説明】
【図１】
本発明の一形態による小児科用マットレスの斜視図である。
【図２】
図１の小児科用マットレスの分解斜視図である。
【図３】
図２の３−３線に沿った断面端面図である。
【図４】
本発明の他の形態による断面図である。
【図５】
本発明の他の形態による小児科用マットレスの斜視図である。
【図６】
図５の小児科用マットレスの分解斜視図である。
【国際公開パンフレット】
2004500221.tif 000003
2004500221.tif 000004
2004500221.tif 000005
2004500221.tif 000006
2004500221.tif 000007
2004500221.tif 000008
2004500221.tif 000009
2004500221.tif 000010
2004500221.tif 000011
2004500221.tif 000012
2004500221.tif 000013
2004500221.tif 000014
2004500221.tif 000015
2004500221.tif 000016
2004500221.tif 000017
2004500221.tif 000018
2004500221.tif 000019
2004500221.tif 000020
【国際公開パンフレット（コレクトバージョン）】
2004500221.tif 000021
2004500221.tif 000022
【手続補正書】
【提出日】平成14年7月25日(2002.7.25)
【手続補正１】
【補正対象書類名】明細書
【補正対象項目名】特許請求の範囲
【補正方法】変更
【補正の内容】
【特許請求の範囲】
【請求項１】
就寝面、および
前記就寝面を受けることのできるキャビティを有する周囲体を含み、
前記キャビティは前記就寝面と前記キャビティの下壁間に下部、前記周囲体の壁により前記キャビティの下部から隔離した室、および前記就寝面上方に位置しかつ前記室から気流を前記就寝面にわたって誘導するために前記周囲体の室に連結された少なくとも一つの気体出口を有する、マットレス。
【請求項２】
前記少なくとも一つの気体出口は前記周囲体に形成された室と連通する前記周囲体に形成された複数の開口部を含み、前記開口部は前記周囲体のまわりに断続的に位置決めされかつ前記就寝面上へ前記複数の開口部から気流を誘導できるように構成されている、請求項１のマットレス。
【請求項３】
少なくとも一つのブラダが前記キャビティ内に位置決めされかつ前記就寝面を支持するように構成されている、請求項１のマットレス。
【請求項４】
前記キャビティ内に位置決めされかつ前記就寝面を支持しかつ前記就寝面に回転治療を施すことのできる構成の少なくとも二つの回転ブラダを更に含む、請求項１のマットレス。
【請求項５】
音声発生装置、および前記マットレス内に位置決めされた少なくとも一つのスピーカを含む治療システムを更に含み、前記少なくとも一つのスピーカは前記音声発生装置に接続されかつ音声信号を発生して前記就寝面に送信するように構成されている、請求項１のマットレス。
【請求項６】
前記就寝面はガスが通過する前記就寝面の面を貫通する複数の孔を含んで形成されている、請求項５のマットレス。
【請求項７】
前記少なくとも一つのスピーカが前記周囲体の気体出口を介して前記就寝面上に位置決めされる患者に向けて音声信号を送信できるように構成されている、請求項１のマットレス。
【請求項８】
前記周囲体のまわりに位置する構成の縁取部材を更に含む、請求項１のマットレス。
【請求項９】
前記周囲体は前記キャビティを形成する内壁を含み、前記周囲体は内室を含んで形成され、前記内室と前記内壁間に延在して少なくとも一つの気体出口を形成する少なくとも一つの開口部を有し、かつ前記内室は、気体が前記内室および前記少なくとも一つの開口部から前記就寝面上へ誘導されるように前記気体供給源に接続できる構成である、請求項１のマットレス。
【請求項１０】
前記就寝面は前記少なくとも一つの開口部の下の所定位置で前記周囲体の内壁に連結できる構成である、請求項９のマットレス。
【請求項１１】
前記キャビティ内にスペーサを更に含み、前記スペーサは第一および第二ブラダキャビティを形成する構成であり、かつ第一および第二ブラダがそれぞれ前記第一および第二ブラダキャビティ内に前記就寝面を支持するために設置されている、請求項１のマットレス。
【請求項１２】
少なくとも一つのスピーカが前記スペーサ内に設置されている、請求項１１のマットレス。
【請求項１３】
第一および第二ブラダは選択的に膨張および収縮して前記就寝面上の患者に回転治療を施すことができるように構成されている、請求項１１のマットレス。
【請求項１４】
就寝面、
前記就寝面を受けることのできる開放キャビティを有する周囲体、および
前記就寝面の下で前記キャビティ内に収納されかつかつ前記就寝面へ所望の治療波信号を送信できる少なくとも一つのスピーカを含む、マットレス。
【請求項１５】
前記少なくとも一つのスピーカに接続された音声信号発生装置を更に含む、請求項１４のマットレス。
【請求項１６】
前記周囲体は前記キャビティを形成する内壁を含み、前記周囲体は内室を含んで形成され前記内室と前記内壁間に延在するする少なくとも一つの開口部を有し、前記内室は、気体を前記内室および前記少なくとも一つの開口部から前記就寝面にわたって誘導するように気体供給源に接続できる構成である、請求項１４のマットレス。
【請求項１７】
前記就寝面は前記少なくとも一つの開口部の下の所定位置で前記周囲体の内壁に連結できるように構成されている、請求項１６のマットレス。
【請求項１８】
前記キャビティ内に設置されたスペーサを更に含み、前記スペーサは第一および第二ブラダキャビティを形成する構成であり、かつ第一および第二ブラダはそれぞれ第一および第二ブラダキャビティ内に前記就寝面を支持するために設置されている、請求項１４のマットレス。
【請求項１９】
少なくとも一つのスピーカが前記スペーサ内に設置されている、請求項１８のマットレス。
【請求項２０】
第一および第二ブラダは選択的に膨張および収縮して前記就寝面上の患者に回転治療を施すことができるように構成されている、請求項１８のマットレス。
【請求項２１】
就寝面、
前記就寝面を受けるために内壁を備えたキャビティ、および前記就寝面上の人に向けて気流を誘導するための少なくとも一つの気体出口を有する周囲体、ならびに
前記就寝面の周辺と前記キャビティの内壁間に実質的連続の連結部を提供する構成の締結具を含む、マットレス。
【請求項２２】
就寝面、
前記就寝面を受けることのできるキャビティ、および前記キャビティに隣接して設けられた少なくとも一つの気体出口を有する周囲体、ならびに
前記キャビティ内に位置決めされかつ前記就寝面を支持できる構成の少なくとも一つのブラダを含み、
前記気体出口は前記気体出口から前記就寝面にわたって気流を誘導するために気体供給源に接続できるように構成されている、マットレス。
【請求項２３】
就寝面、
前記就寝面を受けることのできるキャビティ、および前記キャビティに隣接して設けられた少なくとも一つの気体出口を有する周囲体、ならびに
前記キャビティ内に位置決めされかつ前記就寝面を支持できるかつ前記就寝面に回転治療を施すことのできる構成の少なくとも二つ回転ブラダを含み、
前記気体出口は前記気体出口から前記就寝面にわたって気流を誘導するために気体供給源に接続できるように構成されている、マットレス。
【請求項２４】
就寝面、
前記就寝面を受けることのできるキャビティ、および前記キャビティに隣接して設けられた少なくとも一つの気体出口を有する周囲体、ならびに
音声発生装置および前記マットレス内に位置決めされた少なくとも一つのスピーカを含む治療シテスムを含み、
前記気体出口は前記気体出口から前記就寝面上に気流を誘導するために気体供給源に接続できる構成であり、
前記少なくとも一つのスピーカは前記音声発生装置に接続されかつ音声信号を発生して前記就寝面へ誘導できる構成であり、
前記少なくとも一つのスピーカは音声信号を前記周囲体の気体出口から前記就寝面上の患者に向けて送信できる構成である、マットレス。
【請求項２５】
就寝面、
前記就寝面を受けることのできるキャビティ、および前記キャビティに隣接して設けられた少なくとも一つの気体出口を有す周囲体、ならびに
前記キャビティ内に位置するスペーサを含み、
前記気体出口は前記気体出口から前記就寝面上に気流を誘導するために気体供給源に接続できる構成であり、
前記スペーサは第一および第二ブラダキャビティを形成する構成であり、かつ前記第一および第二ブラダキャビティ内にそれぞれ第一および第二ブラダが前記就寝面を支持するために設けられている、マットレス。
【請求項２６】
就寝面、
前記就寝面を受けることのできるキャビティを有する周囲体、
前記就寝面に隣接して位置決めされかつ所望治療波信号を前記就寝面へ誘導できる構成の少なくとも一つのスピーカ、
前記キャビティ内に設けられていて第一および第二ブラダキャビティを形成する構成のスペーサ、ならびに
前記就寝面を支持するために第一および第二ブラダキャビティ内にそれぞれ設置された第一および第二ブラダを含む、マットレス。
【国際調査報告】
2004500221.tif 000023
2004500221.tif 000024
2004500221.tif 000025